(57)【特許請求の範囲】
【請求項１】
曲面軽量気泡コンクリートパネル等の加工に使用されるＡＬＣブロックに於いて、両側全体がほぼ曲面状に彎曲された曲り補強筋が該ＡＬＣブロック内に埋設されて構成されていることを特徴としたＡＬＣブロック。
【発明の詳細な説明】
【０００１】
【発明の属する技術分野】
本発明は曲面軽量気泡コンクリートパネル（以下単に曲面ＡＬＣパネルという）等の特定の意匠を有するＡＬＣパネルを加工して製造する際に用いられる中間成形ブロック体（以下単にＡＬＣブロックという）に関するものである。
【０００２】
【従来の技術】
従来の曲面ＡＬＣパネルを形成する際に使用されるＡＬＣブロックは、例えば図５（ａ）、（ｂ）に示すような、オートクレーブ養生される前の大きなブロック状の軽量気泡コンクリートをピアノ線等を介して所定寸法に切断した矩形状ＡＬＣブロック５１が一般的に使用されていた。このＡＬＣブロック５１には、図５（ｂ）に示すように、複数個の直線状の縦筋５２とＵ形状の横筋５３とを交差溶着した断面Ｕ形の補強筋（以下Ｕ字筋という）５４が埋設されて構成されていた。
【０００３】
また、前述の図５（ａ）、（ｂ）に示すＡＬＣブロック５１の他に、例えば図６（ａ）に示す如く、複数の直線状の縦筋５２とＣ形状の横筋５５とを交差溶着した断面Ｃ形の補強筋（以下Ｃ字筋という）５６、図６（ｂ）に示す如く、ジグザグ折りされた横筋５７を使用した断面ジグザグ形の補強筋（以下ジグザグ筋という）５８、図６（ｃ)に示す如く、直線状の横筋５９を一段状に使用した補強筋（以下Ｓ筋という）６０、図６（ｄ）に示す如く、直線状の横筋を二段状に使用した補強筋（以下Ｗ筋という）６２等をＡＬＣブロック内に埋設したＡＬＣブロック５１ａ、５１ｂ、５１ｃ、５１ｄも知られていた。
【０００４】
【発明が解決しようとする課題】
然るに、前述のＡＬＣブロック５１、５１ａ、５１ｂ、５１ｃ、５１ｄに示す如く、ＡＬＣブロック内に埋設される補強筋の内で、Ｕ字筋５４、Ｃ字筋５６、ジグザグ筋５８及びＷ筋６１を使用した場合には、例えば図７（ａ）に示す如く、ＡＬＣブロック５１の両コーナーＡの近傍まで補強筋が配筋されて補強されているので、両コーナーＡの周辺部に大きな切削加工を施すことが困難であり、例えば図８に示す如く、両側全体がなだらかな曲面を持ったＡＬＣコンクリートパネルＲＰを成形加工することが困難である問題があった。
【０００５】
また、一方で図７（ｂ）に示す如く、Ｓ筋６０を埋設して製造したＡＬＣブロック５１ｃに於いては、Ｓ筋６０が両コーナーＡの周辺部よりも離されて補強されているので、両コーナーＡのある程度の加工は可能である反面で、Ｓ筋６０がＡＬＣブロック５１ｃの表面より離れて埋設されているので、矢印方向の力に対して弱く割れ易い等の問題があった。
【０００６】
本発明に係るＡＬＣブロックは、前述の従来の問題点に鑑み開発された全く新しい技術であって、特にＡＬＣブロックのコーナー部を含めた周辺部の大きな切削加工を容易にすると共に、ＡＬＣブロックの全体の強度を均一に高めることによってＡＬＣブロックが外力によって簡単に破壊されることを防止するようにした全く新しいＡＬＣブロックの技術を提供するものである。
【０００７】
【課題を解決するための手段】
本発明に係るＡＬＣブロックは、前述の多くの問題点に鑑み開発された発明であって、その要旨は、曲面軽量気泡コンクリートパネル等の加工に使用されるＡＬＣブロックに於いて、両側全体がほぼ曲面状に彎曲された曲り補強筋が該ＡＬＣブロック内に埋設されて構成されていることを特徴としたＡＬＣブロックである。
【０００８】
前述の本発明に係るＡＬＣブロックは、曲面ＡＬＣコンクリートパネル等の加工に使用される中間成形ブロック体となるＡＬＣブロックに於いて、両側全体がほぼ曲面状に彎曲された補強筋がブロック内に埋設されて構成されているので、加工成形して製造される曲面ＡＬＣパネルの外形にほぼ沿った位置に、予め補強筋を埋設しておくことが出来、これによってコーナー部を含めた周辺部の切削加工を容易にすると共に、ＡＬＣブロック全体の強度を均一に高めることが出来る。
【０００９】
【発明の実施の形態】
図により本発明に係るＡＬＣブロックとこのＡＬＣブロックに使用される曲り補強筋について説明すると、図１（ａ）、（ｂ）は本発明に係るＡＬＣブロックの説明図、図２は図１のＡＬＣブロックを加工する状態の横断面説明図、図３（ａ）、（ｂ）は製造時に図１のＡＬＣブロックがラインに添って搬送される際にかかる力に対する応力を示す説明図である。
【００１０】
図４（ａ）、（ｂ）、（ｃ）は夫々本発明に係る曲り補強筋の説明図であって、同図（ａ）は基本的曲り補強筋の断面図、同図（ｂ）は基本的曲り補強筋を積層した状態の断面説明図、同図（ｃ）は変形曲り補強筋の断面図である。
【００１１】
図１（ａ）、（ｂ）に於いて、１は本発明に係るＡＬＣブロックであって、例えば前述の図８に例示したような両側全体がなだらかな曲面を持ったＡＬＣコンクリートパネルＲＰを成形加工する為の中間成形ブロック体である。
【００１２】
前記ＡＬＣブロック１内には、図１（ｂ）或は図４（ａ）に示す如く曲り補強筋２がその中心部に埋設されている。この曲り補強筋２は、円弧状に彎曲された複数個の横筋（主筋）３に複数個の直線状縦筋（副筋）４とを相互に交差して溶着させることによって形成されている。
【００１３】
前述の図１（ｂ）及び図４（ａ）に示す曲り補強筋２は、図に示す如く、複数の横筋３を左右対称に彎曲させたので、形状が単純であり、この横筋３に複数の直線状縦筋４を交差して溶接したので、加工が容易で安価に大量生産することが出来る。
【００１４】
また、このように製造された曲り補強筋２は、図４（ｂ）に示す如く、多数のものを完全に積み重ねることが出来、場所を取らずにコンパクトに保管したり、或はＡＬＣブロック１の製造現場に搬送することが出来る。
【００１５】
また、前記実施例に於いては、横筋３のみを彎曲させて曲り補強筋２を形成したが、加工する意匠に対応して横筋３のみならず縦筋４も同様に彎曲加工することが可能である。
【００１６】
さらに、図４（ｃ）に示す如く、横筋３を左右対称的に折り曲げずに、横筋３の右側先端部３ａを平坦状に形成した、特殊な曲り補強筋２ａを構成することも可能である。この曲り補強筋２ａも前記曲り補強筋２と同様に多数のものをコンパクトに積み重ねて保管或は搬送することが出来る。
【００１７】
本発明に係るＡＬＣブロック１に於いては、前述のように、その内部中心に前記曲り補強筋２を埋設して構成したので、例えば図２に示す如く、ＡＬＣブロック１の上部の両コーナー部Ａの近傍には曲り補強筋２が配筋されていないので、この両コーナー部Ａを大きく加工することが出来る。同図に於いては斜線によって直線状に加工するように記述しているが、この部分は曲面状等の任意の形状に加工することも当然可能である。
【００１８】
また、図２に示す如く、前記ＡＬＣブロック１の下部の中央部Ｂには曲り補強筋２が配筋されていないので、この下部の中央部Ｂも大きく加工することが出来る。この場合の加工は、前記両コーナー部Ａと同様に、直線状或は曲面状等の任意の形状に加工することが出来る。
【００１９】
前記ＡＬＣブロック１の中心部には、前記構成の曲り補強筋２が配筋されているので、ＡＬＣブロック１の全体に均一な強度を与えることが出来る。従って図３（ａ）、（ｂ）に示す如く、コンベア等の支持具５を介してＡＬＣブロック１を正逆いずれの方向で支持してテンションを掛けた場合にも、割れにくく大きな強度を持続させることが出来る。
【００２０】
即ち、図３（ａ）に示す如く、ＡＬＣブロック１を支持具５上に正式な方向に載置し、ＡＬＣブロック１の上方から矢印方向にテンションを掛けた場合にも、アーチ効果で力を全体に分散させることが出来、ＡＬＣブロック１を割れにくくしている。従って、ＡＬＣブロック１の上部の切削加工を容易にしている。
【００２１】
また、図３（ｂ）に示す如く、ＡＬＣブロック１を支持具５上に逆転させて載置した場合にも、ＡＬＣブロック１の上方から矢印方向にテンションを掛けると、その力を逆アーチ効果で力を左右方向に分散させることが出来、ＡＬＣブロック１を割れにくくしており、ＡＬＣブロック１の下部の切削加工を容易にしている。
【００２２】
【発明の効果】
本発明に係るＡＬＣブロックは、曲面ＡＬＣコンクリートパネル等の加工に使用される中間成形ブロック体となるＡＬＣブロックに於いて、両側全体がほぼ曲面状に彎曲された補強筋がブロック内に埋設されて構成されているので、加工成形して製造される曲面ＡＬＣパネルの外形にほぼ沿った位置に、予め補強筋を埋設しておくことが出来、これによってコーナー部を含めた周辺部の切削加工を容易にすると共に、ＡＬＣブロック全体の強度を均一に高めることが出来る等の多大な効果を有している。
【図面の簡単な説明】
【図１】図１（ａ）、（ｂ）は本発明に係るＡＬＣブロックの説明図である。
【図２】図１のＡＬＣブロックを加工する状態の横断面説明図である。
【図３】図３（ａ）、（ｂ）は製造時に図１のＡＬＣブロックがラインに添って搬送される際にかかる力に対する応力を示す説明図である。
【図４】図４（ａ）、（ｂ）、（ｃ）は夫々本発明に係る曲り補強筋の説明図であって、同図（ａ）は基本的曲り補強筋の断面図、同図（ｂ）は基本的曲り補強筋を積層した状態の断面説明図、同図（ｃ）は変形曲り補強筋の断面図である。
【図５】図５（ａ）、（ｂ）は従来のＡＬＣブロックを示す説明図である。
【図６】図６（ａ）、（ｂ）、（ｃ）、（ｄ）は夫々従来のＡＬＣブロックの断面説明図である。
【図７】図７（ａ）、（ｂ）は夫々従来のＡＬＣブロックを加工する状態の断面説明図である。
【図８】曲面ＡＬＣパネルの斜視説明図である。
【符号の説明】
１ …ＡＬＣブロック
２ …曲り補強筋
２ａ …特殊な曲り補強筋
３ …円弧状に彎曲された複数個の横筋（主筋）
３ａ …横筋３の右側先端部
４ …複数個の直線状縦筋（副筋）
５ …支持具
５１ …ＡＬＣブロック
５１ａ…ＡＬＣブロック
５１ｂ…ＡＬＣブロック
５１ｃ…ＡＬＣブロック
５１ｄ…ＡＬＣブロック
５２ …複数個の直線状の縦筋
５３ …Ｕ形状の横筋
５４ …断面Ｕ形の補強筋
５５ …Ｃ形状の横筋
５６ …断面Ｃ形の補強筋
５７ …ジグザグ折りされた横筋
５８ …断面ジグザグ形の補強筋
５９ …直線状の横筋
６０ …５９を一段状に使用した補強筋
６１ …５９を二段状に使用した補強筋
６２ …５９を二段状に使用した補強筋
【図１】
0004693259.tif 000002
【図２】
0004693259.tif 000003
【図３】
0004693259.tif 000004
【図４】
0004693259.tif 000005
【図５】
0004693259.tif 000006
【図６】
0004693259.tif 000007
【図７】
0004693259.tif 000008
【図８】
0004693259.tif 000009